(57)【要約】【課題】貨幣搬送カセットおよび貨幣処理装置の各接続部をそれらの接続回数に応じて適切に交換し、それにより貨幣搬送カセットと貨幣処理装置との間の電気的接続不良を未然に防止する。【解決手段】本発明による貨幣処理システムは、貨幣を入金または出金する貨幣処理装置と、貨幣を搬送しその貨幣を貨幣処理装置に入金または貨幣処理装置から出金するために貨幣処理装置に着脱可能な貨幣搬送カセットとを備えた貨幣処理システムである。貨幣処理装置は、貨幣搬送カセットが貨幣処理装置に装着されるときに、貨幣搬送カセットに接続される第１の接続部と、第１の接続部に貨幣搬送カセットが接続された回数を示す第１の接続回数を記憶する第１の記憶部と、貨幣搬送カセットが第１の接続部に接続されたときに、第１の接続回数を増加させる制御部とを備えている。【選択図】図１３
2013073558.tif 000002
【特許請求の範囲】
【請求項１】
貨幣を入金または出金する貨幣処理装置と、貨幣を搬送しその貨幣を前記貨幣処理装置に入金または前記貨幣処理装置から出金するために前記貨幣処理装置に着脱可能な貨幣搬送カセットとを備えた貨幣処理システムであって、
前記貨幣処理装置は、
前記貨幣搬送カセットが前記貨幣処理装置に装着されるときに、前記貨幣搬送カセットに接続される第１の接続部と、
前記第１の接続部に前記貨幣搬送カセットが接続された回数を示す第１の接続回数を記憶する第１の記憶部と、
前記貨幣搬送カセットが前記第１の接続部に接続されたときに、前記第１の接続回数を増加させる制御部とを備えていることを特徴とする貨幣処理システム。
【請求項２】
前記貨幣搬送カセットは、
該貨幣搬送カセットが前記貨幣処理装置に装着されるときに、前記第１の接続部に結合することによって前記貨幣処理装置に接続される第２の接続部と、
前記貨幣処理装置に前記第２の接続部が接続された回数を示す第２の接続回数を記憶する第２の記憶部とを備えていることを特徴とする請求項１に記載の貨幣処理システム。
【請求項３】
前記貨幣処理装置は、前記貨幣搬送カセットが前記第１の接続部に接続されたときに、該貨幣搬送カセットの前記第２の接続回数を読み取るリード・ライト部をさらに備え、
前記制御部は、前記リード・ライト部において読み取られた前記第２の接続回数を増加させ、
前記リード・ライト部は、増加後の該第２の接続回数を第２の記憶部へ書き戻すことを特徴とする請求項２に記載の貨幣処理システム。
【請求項４】
前記貨幣搬送カセットの前記第２の記憶部は、前記第２の接続回数と該貨幣搬送カセットに割り当てられたカセット識別情報とを記憶し、
前記貨幣搬送カセットが前記第１の接続部に接続されたときに、前記貨幣処理装置の前記リード・ライト部は、該貨幣搬送カセットの前記第２の接続回数および前記カセット識別情報を読み取り、
前記第１の記憶部は、該貨幣搬送カセットに対応する前記第２の接続回数と前記カセット識別情報とを関連付けて記憶することを特徴とする請求項２または請求項３に記載の貨幣処理システム。
【請求項５】
前記貨幣処理装置に通信可能に接続されており、前記第１の接続回数および前記第２の接続回数を記憶する管理装置をさらに備えたことを特徴とする請求項１から請求項４のいずれかに記載の貨幣処理システム。
【請求項６】
前記貨幣処理装置は、
前記第１または前記第２の接続回数が所定値に達した場合に、該第１または該第２の接続回数が所定値に達したことを報知する報知部をさらに備えたことを特徴とする請求項２から請求項４のいずれかに記載の貨幣処理システム。
【請求項７】
前記貨幣処理装置は、
前記第１または前記第２の接続回数が所定値に達した場合に、該第１または該第２の接続回数が所定値に達したことを前記管理装置へ通知することを特徴とする請求項５に記載の貨幣処理システム。
【請求項８】
前記貨幣搬送カセットが前記第１の接続部に接続されたときに前記第１または第２の接続回数が所定値に達している場合、前記貨幣処理装置は、該貨幣搬送カセットに対して入金および出金を行わないことを特徴とする請求項２から請求項４のいずれかに記載の貨幣処理システム。
【請求項９】
前記制御部は、前記第１または第２の接続回数の上限値を設定し、あるいは、前記貨幣処理システムは、前記第１または第２の接続回数の上限値を設定する接続回数設定装置をさらに備えたことを特徴とする請求項２に記載の貨幣処理システム。
【請求項１０】
貨幣を搬送しその貨幣を貨幣処理装置に入金または前記貨幣処理装置から出金するために前記貨幣処理装置に着脱可能な貨幣搬送カセットであって、
前記貨幣搬送カセットが前記貨幣処理装置に装着されるときに、前記貨幣処理装置に接続される接続部と、
前記貨幣処理装置に前記接続部が接続された接続回数を記憶する記憶部とを備えていることを特徴とする貨幣搬送カセット。
【請求項１１】
前記記憶部は、前記接続回数と前記貨幣搬送カセットに割り当てられたカセット識別情報とを記憶していることを特徴とする請求項１０に記載の貨幣搬送カセット。
【請求項１２】
貨幣を搬送する貨幣搬送カセットを貨幣の入金または出金のために着脱することができる貨幣処理装置であって、
前記貨幣搬送カセットが前記貨幣処理装置に装着されるときに、前記貨幣搬送カセットに接続される第１の接続部と、
前記第１の接続部に前記貨幣搬送カセットが接続された回数を示す第１の接続回数を記憶する第１の記憶部と、
前記貨幣搬送カセットが前記第１の接続部に接続されたときに、前記第１の接続回数を増加させる制御部とを備えていることを特徴とする貨幣処理装置。
【請求項１３】
前記貨幣処理装置は、前記貨幣搬送カセットが前記第１の接続部に接続されたときに、該貨幣搬送カセットに設けられた第２の記憶部から前記貨幣処理装置に接続された回数を示す第２の接続回数を読み取るリード・ライト部をさらに備え、
前記制御部は、前記リード・ライト部において読み取られた該第２の接続回数を増加させ、
前記貨幣処理装置は、増加後の該第２の接続回数を前記第２の記憶部へ書き込むことを特徴とする請求項１２に記載の貨幣処理装置。
【請求項１４】
前記貨幣搬送カセットが前記第１の接続部に接続されたときに、前記リード・ライト部は、前記貨幣搬送カセットから該貨幣搬送カセットの前記第２の接続回数および該貨幣搬送カセットに割り当てられたカセット識別情報を読み取り、
前記第１の記憶部は、該貨幣搬送カセットに対応する前記第２の接続回数と前記カセット識別情報とを関連付けて記憶することを特徴とする請求項１３に記載の貨幣処理装置。
【請求項１５】
前記貨幣処理装置は、
前記第１または前記第２の接続回数が所定値に達した場合に、前記第１または前記第２の接続回数が所定値に達したことを報知する報知部をさらに備えたことを特徴とする請求項１３または請求項１４に記載の貨幣処理装置。
【請求項１６】
前記貨幣搬送カセットが前記第１の接続部に接続されたときに前記第１または第２の接続回数が所定値に達している場合、前記貨幣処理装置は、該貨幣搬送カセットに対して入金および出金を行わないことを特徴とする請求項１３に記載の貨幣処理装置。
【請求項１７】
前記制御部は、前記第１または第２の接続回数の上限値を設定することを特徴とする請求項１３に記載の貨幣処理装置。
【発明の詳細な説明】
【技術分野】
【０００１】
本発明は、貨幣処理システム、貨幣収納カセットおよび貨幣処理装置に係わり、例えば、店舗内での精算において貨幣の受け渡しを行い、その貨幣を収納する貨幣処理システム、貨幣搬送カセットおよび貨幣処理装置に関する。
【背景技術】
【０００２】
従来から店舗のチェックアウトカウンターにおいて店員が客との貨幣の受け渡し業務を行うために貨幣精算装置およびＰＯＳ（Point Of Sale）レジスタが使用されている。貨幣精算装置は、投入された貨幣を識別・計数して金額を算出した上で、収納すると共に、収納されている貨幣を釣銭として払い出す機能を有している。
【０００３】
一方、店舗のバックオフィスにおいては、その店舗内に設置された貨幣精算装置に釣銭準備金等の貨幣を装填し、あるいは、貨幣精算装置の売上金等を回収するために貨幣出納装置が使用されている。貨幣出納装置は、貨幣精算装置から回収された貨幣を収納し、貨幣精算装置へ装填する貨幣を投出する機能を有している。
【０００４】
通常、営業開始時に店員は、釣銭準備金等を貨幣精算装置に装填する必要がある。また、営業終了後に店員は、貨幣精算装置に収納されている売上金等をバックオフィスの貨幣出納装置に収納する必要がある。
【０００５】
このような釣銭の装填処理または回収処理において、セキュリティおよび管理者の管理負担を考慮して、貨幣搬送カセットの使用が考えられている。
【０００６】
例えば、特許文献１に開示されているカセットは、カセット内に格納した紙幣を繰り出す駆動源を備え、紙幣処理装置は、そのカセットと接続するコネクタを備えている。カセットが紙幣処理装置のコネクタに電気的に接続されることにより、紙幣処理装置は、カセットの駆動源を駆動させる。これにより、カセットに格納された紙幣が、紙幣処理装置内に入金される。
【先行技術文献】
【特許文献】
【０００７】
【特許文献１】特開２００８−１９８１３１号公報
【発明の開示】
【発明が解決しようとする課題】
【０００８】
しかし、店舗のチェックアウトカウンターの貨幣精算装置やＰＯＳレジスタとバックオフィスの貨幣出納装置との間において、貨幣は、営業開始時の装填および営業終了後の回収だけでなく、キャッシャーの交代時、業務中の釣銭の補充時または釣銭の回収時にも搬送する必要がある。このような場合、貨幣搬送カセットは、多数回にわたって貨幣精算装置または貨幣出納装置（以下、両者をまとめて貨幣処理装置ともいう）に着脱される。
【０００９】
貨幣搬送カセットと貨幣処理装置との間の着脱回数（接続回数）が増加すると、貨幣搬送カセットと貨幣処理装置との間の電気的接続を行うコネクタが消耗し、両者の接続不良を招致するおそれがある。
【００１０】
一方、貨幣搬送カセットおよび貨幣処理装置の各コネクタの消耗を考慮して、定期的にこれらのコネクタを交換することが考えられる。しかし、各コネクタの接続回数はばらつくので、定期交換のサイクルは比較的短期間に設定される必要がある。この場合、実際には接続回数がさほど多くなく、消耗していないコネクタも交換することになる。このような運用は、非効率的であり、かつ、不経済でもある。
【００１１】
そこで、本発明は、上述の問題に鑑みてなされたものであり、貨幣搬送カセットおよび貨幣処理装置の各コネクタをそれらの接続回数に応じて適切に交換し、それにより貨幣搬送カセットと貨幣処理装置との間の電気的接続不良を未然に防止することができる貨幣処理システム、貨幣搬送カセットおよび貨幣処理装置を提供することを目的とする。
【課題を解決するための手段】
【００１２】
本発明による実施形態に従った貨幣処理システムは、貨幣を入金または出金する貨幣処理装置と、貨幣を搬送しその貨幣を前記貨幣処理装置に入金または前記貨幣処理装置から出金するために前記貨幣処理装置に着脱可能な貨幣搬送カセットとを備え、
前記貨幣処理装置は、前記貨幣搬送カセットが前記貨幣処理装置に装着されるときに、前記貨幣搬送カセットに接続される第１の接続部と、前記第１の接続部に前記貨幣搬送カセットが接続された回数を示す第１の接続回数を記憶する第１の記憶部と、前記貨幣搬送カセットが前記第１の接続部に接続されたときに、前記第１の接続回数を増加させる制御部とを備えている。
【００１３】
前記貨幣搬送カセットは、該貨幣搬送カセットが前記貨幣処理装置に装着されるときに、前記第１の接続部に結合することによって前記貨幣処理装置に接続される第２の接続部と、前記貨幣処理装置に前記第２の接続部が接続された回数を示す第２の接続回数を記憶する第２の記憶部とを備えていてもよい。
【００１４】
前記貨幣処理装置は、前記貨幣搬送カセットが前記第１の接続部に接続されたときに、該貨幣搬送カセットの前記第２の接続回数を読み取るリード・ライト部をさらに備え、前記制御部は、前記リード・ライト部において読み取られた前記第２の接続回数を増加させ、前記リード・ライト部は、増加後の該第２の接続回数を第２の記憶部へ書き戻してもよい。
【００１５】
前記貨幣搬送カセットの前記第２の記憶部は、前記第２の接続回数と該貨幣搬送カセットに割り当てられたカセット識別情報とを記憶し、前記貨幣搬送カセットが前記第１の接続部に接続されたときに、前記貨幣処理装置の前記リード・ライト部は、該貨幣搬送カセットの前記第２の接続回数および前記カセット識別情報を読み取り、前記第１の記憶部は、該貨幣搬送カセットに対応する前記第２の接続回数と前記カセット識別情報とを関連付けて記憶してもよい。
【００１６】
当該貨幣処理システムは、前記貨幣処理装置に通信可能に接続されており、前記第１の接続回数および前記第２の接続回数を記憶する管理装置をさらに備えてもよい。
【００１７】
前記貨幣処理装置は、前記第１または前記第２の接続回数が所定値に達した場合に、該第１または該第２の接続回数が所定値に達したことを報知する報知部をさらに備えてもよい。
【００１８】
前記貨幣処理装置は、前記第１または前記第２の接続回数が所定値に達した場合に、該第１または該第２の接続回数が所定値に達したことを前記管理装置へ通知してもよい。
【００１９】
前記貨幣搬送カセットが前記第１の接続部に接続されたときに前記第１または第２の接続回数が所定値に達している場合、前記貨幣処理装置は、該貨幣搬送カセットに対して入金および出金を行わないように構成してもよい。
【００２０】
前記制御部は、前記第１または第２の接続回数の上限値を設定し、あるいは、前記貨幣処理システムは、前記第１または第２の接続回数の上限値を設定する接続回数設定装置をさらに備えていてもよい。
【００２１】
本発明に係る実施形態に従った貨幣搬送カセットは、貨幣を搬送しその貨幣を貨幣処理装置に入金または前記貨幣処理装置から出金するために前記貨幣処理装置に着脱可能な貨幣搬送カセットであって、
前記貨幣搬送カセットが前記貨幣処理装置に装着されるときに、前記貨幣処理装置に接続される接続部と、前記貨幣処理装置に前記接続部が接続された接続回数を記憶する記憶部とを備えている。
【００２２】
前記記憶部は、前記接続回数と前記貨幣搬送カセットに割り当てられたカセット識別情報とを記憶していてもよい。
【００２３】
本発明に係る実施形態に従った貨幣処理装置は、貨幣を搬送する貨幣搬送カセットを貨幣の入金または出金のために着脱することができる貨幣処理装置であって、
前記貨幣搬送カセットが前記貨幣処理装置に装着されるときに、前記貨幣搬送カセットに接続される第１の接続部と、前記第１の接続部に前記貨幣搬送カセットが接続された回数を示す第１の接続回数を記憶する第１の記憶部と、前記貨幣搬送カセットが前記第１の接続部に接続されたときに、前記第１の接続回数を増加させる制御部とを備えている。
【００２４】
前記貨幣処理装置は、前記貨幣搬送カセットが前記第１の接続部に接続されたときに、該貨幣搬送カセットに設けられた第２の記憶部から前記貨幣処理装置に接続された回数を示す第２の接続回数を読み取るリード・ライト部をさらに備え、
前記制御部は、前記リード・ライト部において読み取られた該第２の接続回数を増加させ、前記貨幣処理装置は、増加後の該第２の接続回数を前記第２の記憶部へ書き込んでもよい。
【００２５】
前記貨幣搬送カセットが前記第１の接続部に接続されたときに、前記リード・ライト部は、前記貨幣搬送カセットから該貨幣搬送カセットの前記第２の接続回数および該貨幣搬送カセットに割り当てられたカセット識別情報を読み取り、前記第１の記憶部は、該貨幣搬送カセットに対応する前記第２の接続回数と前記カセット識別情報とを関連付けて記憶してもよい。
【００２６】
前記貨幣処理装置は、前記第１または前記第２の接続回数が所定値に達した場合に、前記第１または前記第２の接続回数が所定値に達したことを報知する報知部をさらに備えてもよい。
【００２７】
前記貨幣搬送カセットが前記第１の接続部に接続されたときに前記第１または第２の接続回数が所定値に達している場合、前記貨幣処理装置は、該貨幣搬送カセットに対して入金および出金を行わないように構成してもよい。
【００２８】
前記制御部は、前記第１または第２の接続回数の上限値を設定してもよい。
【発明の効果】
【００２９】
本発明による貨幣処理システム、貨幣搬送カセットおよび貨幣処理装置は、貨幣搬送カセットおよび貨幣処理装置の各コネクタをそれらの接続回数に応じて適切に交換し、それにより貨幣搬送カセットと貨幣処理装置との間の電気的接続不良を未然に防止することができる。
【図面の簡単な説明】
【００３０】
【図１】第１の実施形態に従った貨幣管理システム１の構成例を示すブロック図。
【図２】貨幣精算装置１１の一例を示す外観を示す図。
【図３】貨幣精算装置１１の構成例を示すブロック図。
【図４】紙幣精算装置１２の内部構成の一例を示す断面図。
【図５】硬貨精算装置１３の内部構成の一例を示す断面図。
【図６】貨幣出納装置２１の一例を示す外観を示す図。
【図７】貨幣出納装置２１の構成例を示すブロック図。
【図８】紙幣出納装置２２の内部構成の一例を示す断面図。
【図９】貨幣出納装置２１のうち硬貨出納装置２３の内部構成の一例を示す断面図。
【図１０】紙幣を搬送するテープリール式の貨幣搬送カセット３０の構成例を示す外観図。
【図１１】硬貨を搬送する貨幣搬送カセット３０の構成例を示す外観図。
【図１２】コネクタ１９２（または２９２）およびコネクタ３９の構成を示す図。
【図１３】本実施形態による貨幣処理システム１の動作を示すフロー図。
【図１４】本実施形態によるコネクタの交換動作を示すフロー図。
【図１５】変形例２による貨幣処理システム１の動作を示すフロー図。
【発明を実施するための最良の形態】
【００３１】
以下、図面を参照して本発明による実施形態を説明する。本実施形態は、本発明を限定するものではない。
【００３２】
（第１の実施形態）
図１は、本発明に係る第１の実施形態に従った貨幣管理システム１の構成例を示すブロック図である。貨幣管理システム１は、店員が顧客から受け取った貨幣、および、店員が顧客へ支払う貨幣を処理および管理するシステムである。
【００３３】
貨幣管理システム１は、店舗内のチェックアウトエリアに設けられており、店員が顧客との間でやりとりした貨幣を入出金するチェックアウトカウンター１０と、チェックアウトカウンター１０の貨幣および商品を管理するバックオフィス２０と、チェックアウトカウンター１０とバックオフィス２０との間において貨幣を搬送する貨幣搬送カセット３０とから構成されている。
【００３４】
チェックアウトカウンター１０には、貨幣を入金および出金することにより顧客との精算処理を行う単数または複数の貨幣精算装置１１が設けられている。図１では、チェックアウトカウンター１０には、３つの貨幣精算装置１１が設けられている。貨幣精算装置１１は、店員または顧客自らによって操作され、店員と顧客との間の精算処理に用いられる。例えば、貨幣精算装置１１は、顧客が支払った代金を入金し、あるいは、顧客へ支払う釣銭を出金する。
【００３５】
貨幣精算装置１１は、例えば、店員によって操作されるＰＯＳレジスタまたは顧客によって操作されるセルフチェックアウト用レジスタと通信可能に接続されている。貨幣精算装置１１は、ＰＯＳレジスタまたはセルフチェックアウト用レジスタと一体に構成されていてもよい。
【００３６】
バックオフィス２０には、貨幣出納装置２１と、貨幣管理装置２５と、ＰＯＳ管理装置２６が設けられている。貨幣出納装置２１は、貨幣精算装置１１と通信可能に接続されており、例えば、貨幣精算装置１１へ装填するための釣銭準備金を出金し、あるいは、貨幣精算装置１１から回収した売上金を入金する。貨幣管理装置２５は、ＬＡＮ（Local Area Network）等を介して貨幣精算装置１１および貨幣出納装置２１と通信可能に接続されている。貨幣管理装置２５は、貨幣精算装置１１および貨幣出納装置２１に収納されている貨幣を管理する。例えば、貨幣管理装置２５は、貨幣精算装置１１のそれぞれにおいて精算処理された貨幣、並びに、貨幣精算装置１１と貨幣出納装置２１との間で授受された貨幣を管理する。また、貨幣管理装置２５は、貨幣精算装置１１または貨幣出納装置２１に貨幣搬送カセット３０が装着されているか否かを監視してもよい。ＰＯＳ管理装置２６は商品の流れを管理する。尚、商品の流れについては本発明と直接関連しないので、ここではＰＯＳ管理装置２６に関する詳細な説明を省略する。
【００３７】
貨幣搬送カセット３０は、貨幣精算装置１１および貨幣出納装置２１に着脱可能に構成されており、貨幣精算装置１１または貨幣出納装置２１に装着されているときには貨幣精算装置１１または貨幣出納装置２１との間で貨幣を授受することができる。一方、貨幣搬送カセット３０は、貨幣精算装置１１および貨幣出納装置２１から離脱しているときには内部の貨幣を取出せないように収納している。店員は、貨幣搬送カセット３０を用いて貨幣精算装置１１と貨幣出納装置２１との間における貨幣の搬送を行う。例えば、釣銭準備金の装填時あるいは売上金の回収時には、店員は、貨幣搬送カセット３０を用いて貨幣を貨幣精算装置１１と貨幣出納装置２１との間で搬送する。店員は、貨幣の搬送時に貨幣搬送カセット３０内の貨幣に触れることができないので、セキュリティ上安全な状態で貨幣を搬送することができる。
【００３８】
貨幣搬送カセット３０は、紙幣および硬貨のいずれか一方を搬送するように構成されていてもよく、両方を搬送できるように構成されていてもよい。紙幣用の貨幣搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の貨幣搬送カセット３０は、金種混合の状態で硬貨を収納するカセットでよい。
【００３９】
［貨幣精算装置１１の構成］
各貨幣精算装置１１は、硬貨を入金および出金することにより精算処理を行う硬貨精算装置１３と、紙幣を入金および出金することにより精算処理を行う紙幣精算装置１２とを含む。
【００４０】
以下、紙幣精算装置１２の構成要素と硬貨精算装置１３の構成要素とを区別するために、紙幣精算装置１２の構成要素の参照番号に“ａ”を付し、硬貨精算装置１３の構成要素の参照番号に“ｂ”を付す。尚、硬貨精算装置１３および紙幣精算装置１２は、取り扱う対象が硬貨と紙幣とでそれぞれ異なるので具体的構成については相違するものの、図３に示す基本的なブロック構成については同様でよい。
【００４１】
図２は、各貨幣精算装置１１の一例を示す外観を示す図である。貨幣精算装置１１は、紙幣精算装置１２および硬貨精算装置１３を備える。紙幣精算装置１２は、筐体１００ａと、入金部１１０ａと、出金部１２０ａとを備えている。入金部１１０ａは、顧客から受け取った紙幣を投入するために設けられている。出金部１２０ａは、釣銭紙幣を投出するために設けられている。筐体１００ａの前カバー１０１ａを開けると、貨幣搬送カセット３０を装着するためのカセット装着部（図４の１６０ａ参照）が設けられている。
【００４２】
硬貨精算装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。筐体１００ｂの前カバー１０１ｂを開けると、貨幣搬送カセット３０を装着するためのカセット装着部（図５の１６０ｂ参照）が設けられている。
【００４３】
図３は、貨幣精算装置１１の構成例を示すブロック図である。貨幣精算装置１１は、入金部１１０および出金部１２０のほか、搬送部１３０と、識別部１４０と、収納部１５０と、リード・ライト部１５７と、カセット装着部１６０と、メモリ１７０と、通信部１８０と、制御部１９０と、コネクタ１９２と、操作表示部１９５とをさらに備えている。
【００４４】
搬送部１３０は、入金部１１０に投入された貨幣を収納部１５０へ搬送し、あるいは、出金部１２０から投出する貨幣を収納部１５０から搬送する。また、搬送部１３０は、貨幣を収納部１５０へ装填するためにカセット装着部１６０に装着された貨幣搬送カセット３０内の貨幣を収納部１５０へ搬送し、あるいは、貨幣を収納部１５０から回収するために収納部１５０に収納された貨幣を貨幣搬送カセット３０へ搬送できるように構成されている。
【００４５】
識別部１４０は、搬送部１３０によって搬送されている貨幣の金種、真偽、正損、新旧、数量等を検知するように構成されている。例えば、識別部１４０は、イメージセンサまたは磁気センサ等のセンサを備えている。
【００４６】
収納部１５０は、識別部１４０において識別された貨幣を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００４７】
カセット装着部１６０は、貨幣搬送カセット３０を着脱可能に構成されている。カセット装着部１６０は、貨幣搬送カセット３０から貨幣を入金し、あるいは、貨幣搬送カセット３０へ貨幣を出金することができるように構成されている。
【００４８】
リード・ライト部１５７は、後述する貨幣搬送カセット３０に設けられた記憶部３５に格納された情報を読み取り、あるいは、記憶部３５へ情報を書き込むことができるように構成されている。
【００４９】
コネクタ１９２は、貨幣搬送カセット３０が貨幣精算装置１１に装着されるときに、貨幣搬送カセット３０に接続されるように構成されている。
【００５０】
メモリ１７０は、貨幣精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０および貨幣搬送カセット３０に収納されている貨幣の情報（金種、数量等）も記憶している。また、メモリ１７０は、貨幣搬送カセット３０がコネクタ１９２に接続された回数を示す接続回数を記憶する。さらに、メモリ１７０は、識別部１４０で識別された貨幣の数量を金種ごとに記憶してもよい。
【００５１】
通信部１８０は、貨幣処理システム１を構成する他の装置（貨幣出納装置２１、貨幣管理装置２５、ＰＯＳ管理装置２６）と通信可能に接続されている。
【００５２】
制御部１９０は、メモリ１７０内のプログラムを実行して貨幣精算装置１１の全体を制御するように構成された演算処理装置である。制御部１９０は、貨幣搬送カセット３０がコネクタ１９２に接続されたときに、メモリ１７０に記憶された接続回数を増加させ、その後、その接続回数をメモリ１７０に書き戻すように構成されている。さらに、制御部１９０は、リード・ライト部１５７によって読み出された貨幣搬送カセット３０の記憶部３５に記憶されている接続回数も増加させ、その後、リード・ライト部１５７を介してその接続回数を記憶部３５に書き戻すように構成されている。
【００５３】
これにより、コネクタ１９２および貨幣搬送カセット３０のコネクタ３９（図１０（Ａ）、図１１参照）の消耗の程度を検知することができ、コネクタ１９２、３９を適切な時期に交換することができる。
【００５４】
尚、操作表示部１９５は、保守員が貨幣処理装置１１を保守点検した際に、貨幣処理装置１１のＩＤ、貨幣搬送カセット３０のＩＤ、コネクタ１９２、３９の接続回数、日時等の情報を表示することができる。これらの情報は、貨幣管理装置２５の表示部に表示させてもよい。貨幣管理システム１は、操作表示部１９５が表示した内容を印字するプリンタをさらに備えてもよい。
【００５５】
図４は、貨幣精算装置１１のうち紙幣精算装置１２の内部構成の一例を示す断面図である。紙幣精算装置１２は入金部カバー１１１ａを備えており、店員は入金時に入金部カバー１１１ａを開けて紙幣を入金部１１０ａへ投入する。入金部１１０ａは投入された紙幣を一枚ずつ搬送部１３０ａへ繰り出すように構成されている。搬送部１３０ａは、繰り出された紙幣を識別部１４０ａに通過させた後、収納部１５０ａ、貨幣搬送カセット３０または出金部１２０ａへ搬送するように構成されている。識別部１４０ａは、搬送されている紙幣の金種、真偽、正損、新旧、数量等を識別する。搬送部１３０ａは、識別部１４０ａによる識別結果に基づいて紙幣を金種ごとに収納部１５０ａに収納する。
【００５６】
尚、搬送部１３０ａは、収納部１５０ａがフルの場合等、必要に応じて、貨幣搬送カセット３０に紙幣を搬送してよい。また、搬送部１３０ａは、識別部１４０ａにおいて紙幣が識別することができなかったり、偽紙幣が識別された場合、それを出金部１２０ａへ投出するようになっている。
【００５７】
一方、紙幣を出金するために、収納部１５０ａは、紙幣を一枚ずつ搬送部１３０ａへ繰り出すように構成されている。搬送部１３０ａは、繰り出された紙幣を出金部１２０ａへ搬送する。紙幣精算装置１２は、出金部シャッタ１２１ａを備えており、出金時に出金部シャッタ１２１ａを開け、紙幣を投出する。
【００５８】
このように、紙幣精算装置１２は、入金部１１０ａに投入された紙幣を収納部１５０ａへ収納し、逆に、収納部１５０ａに収納された紙幣を出金部１２０ａへ投出することができる。即ち、紙幣精算装置１２は、入金された紙幣を出金に再利用することができるように構成されている。
【００５９】
貨幣搬送カセット３０がカセット装着部１６０ａに装着されている場合、紙幣精算装置１２は、貨幣搬送カセット３０から収納部１５０ａへ紙幣を装填し、あるいは、収納部１５０ａから貨幣搬送カセット３０ａへ紙幣を回収することができる。紙幣を装填する場合、貨幣搬送カセット３０が紙幣を一枚ずつ搬送部１３０ａへ繰り出す。搬送部１３０ａは繰り出された紙幣を収納部１５０ａへ装填する。紙幣を回収する場合、収納部１５０ａが紙幣を一枚ずつ搬送部１３０ａへ繰り出す。搬送部１３０ａは繰り出された紙幣を貨幣搬送カセット３０へ回収する。
【００６０】
このように、紙幣精算装置１２は、貨幣搬送カセット３０を用いて紙幣の装填および回収を行うことができるように構成されている。
【００６１】
図５（Ａ）および図５（Ｂ）は、貨幣精算装置１１のうち硬貨精算装置１３の内部構成の一例を示す断面図である。図５（Ａ）は硬貨精算装置１３を側方から見た断面図であり、図５（Ｂ）は硬貨精算装置１３を正面から見た断面図である。尚、図５（Ｂ）では、貨幣搬送カセット３０および繰出部１３７ｂの図示を省略しており、収納部１５０ｂを図示している。
【００６２】
硬貨精算装置１３は、図５（Ｂ）に示すように入金部１１０ｂを備えており、店員は入金時に硬貨を入金部１１０ｂへ投入する。このとき、複数の金種の硬貨は、混合された状態で投入されてよい。円盤型の繰出部１３３ｂは、入金部１１０ｂに投入された硬貨を一枚ずつ搬送部１３０ｂへ繰り出すように構成されている。搬送部１３０ｂは、繰り出された硬貨を識別部１４０ｂに通過させた後、収納部１５０ｂ、貨幣搬送カセット３０または出金部１２０ｂへ搬送する。識別部１４０ｂは、搬送されている硬貨の金種、真偽、正損、新旧、数量等を識別する。搬送部１３０ｂは、識別部１４０ｂによる識別結果に基づいて硬貨を金種ごとに選別し、硬貨を対応する金種の収納部１５０ｂに収納する。
【００６３】
尚、搬送部１３０ｂは、収納部１５０ｂがフルの場合等、必要に応じて、硬貨を貨幣搬送カセット３０または回収ボックス１３５ｂに搬送してよい。また、搬送部１３０ｂは、識別部１４０ｂにおいて硬貨がリジェクト硬貨であると識別された場合、そのリジェクト硬貨を出金部１２０ｂへ投出する。
【００６４】
一方、硬貨を出金するために、収納部１５０ｂは、硬貨を一枚ずつ搬送部１３１ｂへ繰り出すように構成されている。複数の収納部１５０ｂは、各金種ごとに貨幣を収納しており、それぞれ円盤型の繰出部１５３ｂを備えている。繰出部１５３ｂは、硬貨を一枚ずつ搬送部１３０ｂへ繰り出すように構成されている。搬送部１３０ｂは、繰り出された硬貨を出金部１２０ｂへ搬送する。これにより、硬貨精算装置１３は、硬貨を出金部１２０ｂへ投出する。
【００６５】
このように、硬貨精算装置１３は、入金部１１０ｂに投入された硬貨を収納部１５０ｂへ収納し、逆に、収納部１５０ｂに収納された硬貨を出金部１２０ｂへ投出することができる。即ち、硬貨精算装置１３は、入金された硬貨を出金に再利用することができるように構成されている。
【００６６】
貨幣搬送カセット３０がカセット装着部１６０ｂに装着されている場合、硬貨精算装置１３は、貨幣搬送カセット３０から収納部１５０ｂへ硬貨を装填し、あるいは、収納部１５０ｂから貨幣搬送カセット３０ｂへ硬貨を回収することができる。硬貨を装填する場合、貨幣搬送カセット３０は、図５（Ａ）に示す繰出部１３７ｂに硬貨を投出する。このとき、貨幣搬送カセット３０は、金種の混合された状態で硬貨を繰出部１３７ｂに投出してよい。繰出部１３７ｂは硬貨を搬送部１３１ｂに繰り出す。搬送部１３１ｂは繰り出された硬貨を繰出部１３３ｂへ搬送し、繰出部１３３ｂは、硬貨を一枚ずつ搬送部１３０ｂへ繰り出す。搬送部１３０ｂは、繰り出された硬貨を識別部１４０ｂに通過させた後、収納部１５０ｂまたは出金部１２０ｂへ搬送するように構成されている。識別部１４０ｂは、搬送されている硬貨の金種を識別する。搬送部１３０ｂは、識別部１４０ｂによる識別結果に基づいて硬貨を金種ごとに収納部１５０ｂに収納する。
【００６７】
硬貨を回収する場合、硬貨精算装置１３は、収納部１５０ｂから硬貨を一枚ずつ搬送部１３１ｂへ繰り出す。搬送部１３１ｂは繰り出された硬貨を貨幣搬送カセット３０へ回収する。
【００６８】
このように、硬貨精算装置１３は、貨幣搬送カセット３０を用いて硬貨の装填および回収を行うことができるように構成されている。
【００６９】
［貨幣出納装置２１の構成］
貨幣出納装置２１は、硬貨精算装置１３へ装填する硬貨を出金し、硬貨精算装置１３から回収した硬貨を入金する硬貨出納装置２３と、紙幣精算装置１２へ装填する紙幣を出金し、紙幣精算装置１２から回収した紙幣を入金する紙幣出納装置２２とを含む。紙幣出納装置２２および硬貨出納装置２３は、一組の貨幣出納装置２１として構成される。
【００７０】
以下、紙幣出納装置２２の構成要素と硬貨出納装置２３の構成要素とを区別するために、紙幣出納装置２２の構成要素の参照番号に“ａ”を付し、硬貨出納装置２３の構成要素の参照番号に“ｂ”を付す。紙幣出納装置２２および硬貨出納装置２３は、取り扱う対象が硬貨と紙幣とでそれぞれ異なるため具体的な構成については相違するものの、図７に示す基本的なブロック構成については同様でよい。操作表示部２９５は、ただし、紙幣出納装置２２または硬貨出納装置２３のいずれか一方に設けられ、それらの両方の情報を表示するために共通に用いられる。
【００７１】
図６は、貨幣出納装置２１の一例を示す外観を示す図である。貨幣出納装置２１は、紙幣出納装置２２および硬貨出納装置２３を備える。紙幣出納装置２２は、筐体２００ａと、入金部２１０ａと、出金部２２０ａと、操作表示部２９５ａとを備えている。入金部２１０ａは、紙幣を投入するために設けられている。出金部２２０ａは、紙幣を投出するために設けられている。入金部２１０ａは、バラ紙幣を繰り出すバラ貨幣繰出部２１１ａまたは貨幣搬送カセット３０を選択的に装着できるように構成されている。従って、入金部２１０ａは、貨幣搬送カセット３０を用いることなくバラ紙幣を入金することができ、貨幣搬送カセット３０から紙幣を入金することもできる。出金部２２０ａは、貨幣搬送カセット３０を用いることなくバラ紙幣を出金することができる。前カバー２０１ａを開くと、図８に示す回収部２５５ａおよび収納部２５０ａが設けられている。
【００７２】
操作表示部２９５は、貨幣出納装置２１、貨幣精算装置１１および貨幣搬送カセット３０の状態等を表示し、かつ、店員がデータを入力することができるように構成されている。操作表示部２９５は、例えば、タッチパネル式ディスプレイ等でよい。
【００７３】
硬貨出納装置２３は、筐体２００ｂと、入金部２１０ｂと、出金部２２０ｂとして機能するドロワ装着部２６０とを備えている。入金部２１０ｂは、硬貨を投入するために設けられている。ドロワ装填部２６０は、硬貨を投出するために設けられている。入金部２１０ｂは、バラ硬貨をそのまま投入するか、または貨幣搬送カセット３０を装着できるように構成されている。従って、入金部２１０ｂは、貨幣搬送カセット３０を用いることなくバラ硬貨を入金することができ、貨幣搬送カセット３０から硬貨を入金することもできる。ドロワ装着部２６０は、硬貨を金種ごとに収納する収納ドロワ２５８ｂまたは貨幣搬送カセット３０を選択的に装着できるように構成されている。従って、ドロワ装着部２６０は、貨幣搬送カセット３０を用いることなく硬貨を出金することができ、貨幣搬送カセット３０へ硬貨を出金することもできる。前カバー２０１ｂを開くと、図９に示す収納部２５０ｂが設けられている。
【００７４】
図７は、貨幣出納装置２１の構成例を示すブロック図である。貨幣出納装置２１は、入金部２１０、出金部２２０および操作表示部２９５のほか、搬送部２３０と、識別部２４０と、収納部２５０と、回収部２５５と、リード・ライト部２５７と、機外リジェクト部２２２と、機内リジェクト部２２４と、メモリ２７０と、通信部２８０と、コネクタ２９２と、制御部２９０とをさらに備えている。
【００７５】
貨幣出納装置２１の入金部２１０は、バラ貨幣繰出部２０１または貨幣搬送カセット３０を選択的に装着することができるように構成されている。例えば、店員が貨幣出納装置２１へバラ貨幣を入金する場合には、バラ貨幣繰出部２０１が入金部２１０に装着される。店員が貨幣出納装置２１へ貨幣搬送カセット３０を用いて貨幣を入金する場合には、バラ貨幣繰出部２０１に代えて、貨幣搬送カセット３０が入金部２１０に装着される。即ち、貨幣出納装置２１は、バラ貨幣繰出部２０１に代えて、入金部２１０に貨幣搬送カセット３０を着脱することができるように構成されている。
【００７６】
搬送部２３０は、入金部２１０に投入された貨幣を収納部２５０へ搬送し、あるいは、出金部２２０から投出する貨幣を収納部２５０から搬送する。また、搬送部２３０は、収納部２５０から貨幣搬送カセット３０へ貨幣を搬送し、あるいは、貨幣搬送カセット３０から収納部２５０へ貨幣を搬送できるように構成されている。
【００７７】
識別部２４０は、搬送部２３０によって搬送されている貨幣の金種、真偽、正損、新旧、数量等を検知するように構成されている。例えば、識別部２４０は、磁気センサ、蛍光センサ、金属スレッドセンサ、厚みセンサ、イメージセンサ等のセンサを備えている。また、識別部２４０は、貨幣の数量を金種別にカウントする。
【００７８】
収納部２５０は、識別部２４０において識別された貨幣を金種ごとに収納することができるように構成されている。収納部２５０は、紙幣を収納する場合、スタック式収納部でもよく、あるいは、テープリール式収納部であってもよい。
【００７９】
リード・ライト部２５７は、後述する貨幣搬送カセット３０に設けられた記憶部３５に格納された情報を読み取り、あるいは、記憶部３５へ情報を書き込むことができるように構成されている。
【００８０】
コネクタ２９２は、貨幣搬送カセット３０が貨幣精算装置１１に装着されるときに、貨幣搬送カセット３０に接続されるように構成されている。
【００８１】
メモリ２７０は、貨幣出納装置２１を制御する各種プログラムおよびデータを格納するＲＯＭまたはＨＤＤ、および、プログラムのロード領域やプログラム実行時における作業領域となるＲＡＭ等を含む。メモリ２７０は、収納部２５０および貨幣搬送カセット３０に収納されている貨幣の情報（金種、数量等）も記憶している。また、メモリ２７０は、コネクタ２９２に貨幣搬送カセット３０が接続された回数を示す接続回数を記憶する。さらに、メモリ２７０は、識別部２４０で識別された貨幣の数量を金種ごとに記憶してもよい。
【００８２】
通信部２８０は、貨幣処理システム１を構成する他の装置（貨幣精算装置１１、貨幣管理装置２５、ＰＯＳ管理装置２６）と通信可能に接続されている。
【００８３】
制御部２９０は、メモリ２７０内のプログラムを実行して貨幣出納装置２１の全体を制御するように構成された演算処理装置である。制御部２９０は、貨幣搬送カセット３０がコネクタ２９２に接続されたときに、メモリ２７０に記憶された接続回数を増加させ、その後、その接続回数をメモリ２７０に書き戻すように構成されている。さらに、制御部２９０は、リード・ライト部２５７によって読み出された貨幣搬送カセット３０の記憶部３５に記憶されている接続回数も増加させ、その後、リード・ライト部２５７を介してその接続回数を記憶部３５に書き戻すように構成されている。
【００８４】
これにより、コネクタ２９２および貨幣搬送カセット３０のコネクタ３９（図１０（Ａ）、図１１参照）の消耗の程度を検知することができ、コネクタ１９２、３９を適切な時期に交換することができる。
【００８５】
図８（Ａ）および図８（Ｂ）は、貨幣出納装置２１のうち紙幣出納装置２２の内部構成の一例を示す断面図である。図８（Ａ）は、入金部２１０ａにバラ紙幣繰出部２１１ａを装着した状態を示し、図８（Ｂ）は、入金部２１０ａに貨幣搬送カセット３０を装着した状態を示す。尚、操作表示部２９５については、図８においてその図示を省略している。
【００８６】
店員がバラ紙幣を入金する場合、図８（Ａ）に示すように、店員は、入金部２１０ａにバラ紙幣繰出部２１１ａを装着する。店員が紙幣をバラ紙幣繰出部２１１ａへ投入すると、バラ紙幣繰出部２１１ａは投入された紙幣を一枚ずつ搬送部２３０ａへ繰り出す。搬送部２３０ａは、繰り出された紙幣を識別部２４０ａに通過させた後、収納部２５０ａ、回収集積部２５４ａまたは機外リジェクト部２２２ａへ搬送するように構成されている。識別部２４０ａは、搬送されている紙幣の金種、真偽、正損、新旧、数量等を識別する。搬送部２３０ａは、識別部２４０ａによる識別結果に基づいて紙幣を金種ごとに収納部２５０ａに収納する。
【００８７】
搬送部２３０ａは、収納部２５０ａがフルの場合等、必要に応じて、回収集積部２５４ａに紙幣を搬送してよい。回収集積部２５４ａに集積された紙幣が所定数を超えた場合には、紙幣は回収部２５５ａへ収納される。また、搬送部２３０ａは、識別部２４０ａにおいて紙幣を識別することができなかったり、偽紙幣が識別された場合、それを機外リジェクト部２２２ａへ投出する。
【００８８】
一方、紙幣を出金する場合には、収納部２５０ａは、紙幣を一枚ずつ搬送部２３０ａへ繰り出すように構成されている。搬送部２３０ａは、繰り出された紙幣を出金部２２０ａへ搬送し、その紙幣を投出する。紙幣の搬送の途中でセンサ２４２ａが重送、連鎖、斜行等の搬送異常を検出した場合、搬送部２３０ａは、その紙幣を機内リジェクト部２２４ａへ搬送する。
【００８９】
このように、紙幣出納装置２２は、入金部２１０ａに投入された紙幣を収納部２５０ａへ収納し、逆に、収納部２５０ａに収納された紙幣を出金部２２０ａへ投出することができる。即ち、紙幣出納装置２２は、入金された紙幣を出金に再利用することができるように構成されている。
【００９０】
図８（Ｂ）に示すように、バラ紙幣繰出部２１１ａが上方へ回動されて退避され、貨幣搬送カセット３０がバラ紙幣繰出部２０１ａの代わりに入金部２１０ａに装着されていた場合、紙幣出納装置２２は、貨幣搬送カセット３０から収納部２５０ａへ紙幣を入金し、あるいは、収納部２５０ａから貨幣搬送カセット３０ａへ紙幣を出金することができる。紙幣を貨幣精算装置１１へ装填する場合、紙幣を貨幣搬送カセット３０へ搬送するために、収納部２５０ａが紙幣を一枚ずつ搬送部２３０ａへ繰り出す。搬送部２３０ａは、繰り出された紙幣を貨幣搬送カセット３０へ出金する。これにより、紙幣出納装置２２は、貨幣精算装置１１へ装填する紙幣を貨幣搬送カセット３０へ出金することができる。
【００９１】
貨幣精算装置１１から紙幣を回収する場合、貨幣搬送カセット３０内には貨幣精算装置１１から回収された紙幣がすでに入っている。従って、貨幣搬送カセット３０がその中にある紙幣を一枚ずつ搬送部２３０ａへ繰り出し、搬送部２３０ａは、繰り出された紙幣を収納部２５０ａへ収納する。紙幣の搬送の途中でセンサ２４２ａが重送、連鎖、斜行等の搬送異常を検出した場合、搬送部２３０ａは、その紙幣を機内リジェクト部２２４ａへ収納する。
【００９２】
このように、紙幣出納装置２２は、貨幣精算装置１１へ装填される紙幣を貨幣搬送カセット３０へ出金することができ、また、貨幣精算装置１１から回収された紙幣を貨幣搬送カセット３０から入金することができるように構成されている。
【００９３】
図９（Ａ）および図９（Ｂ）は、貨幣出納装置２１のうち硬貨出納装置２３の内部構成の一例を示す断面図である。図９（Ａ）は硬貨出納装置２３を側方から見た断面図であり、図９（Ｂ）は硬貨出納装置２３を正面から見た断面図である。
【００９４】
硬貨出納装置２３は、入金部２１０ｂを備えており、貨幣精算装置１１から回収した硬貨を貨幣搬送カセット３０から入金することができるように構成されている。また、硬貨出納装置２３は、回収部２５５ｂおよび貨幣搬送カセット３０を装着可能なドロア装着部２６０を備えている。ドロア装着部２６０に貨幣搬送カセット３０を装着することによって、貨幣精算装置１１へ装填する硬貨を貨幣搬送カセット３０へ金種別に区分けして出金することができる。
【００９５】
バラ硬貨を入金する場合、店員は入金時に硬貨を入金部２１０ｂへ投入する。このとき、複数の金種の硬貨は、混合された状態で投入されてよい。円盤型の繰出部２３３ｂは、入金部２１０ｂに投入された硬貨を一枚ずつ搬送部２３０ｂへ繰り出すように構成されている。搬送部２３０ｂは、繰り出された硬貨を識別部２４０ｂに通過させた後、一時保留部２３５ｂへ搬送するように構成されている。一時保留部２３５ｂは、金種ごとに設けられており、硬貨を一時的に保留するように構成されている。
【００９６】
識別部２４０ｂは、搬送されている硬貨の金種、真偽、正損、新旧、数量等を識別する。搬送部２３０ｂは、識別部２４０ｂによる識別結果に基づいて硬貨を金種ごとに選別し、硬貨を対応する金種の一時保留部２３５ｂに入れる。
【００９７】
各一時保留部２３５ｂは、対応する金種の収納部２５０ｂにシュート２３６ｂを介して連通しており、投入された硬貨が全て一時保留部２３５ｂに保留された後、硬貨を対応する金種の収納部２５０ｂへ収納する。
【００９８】
搬送部２３０ｂは、収納部２５０ｂがフルの場合等、必要に応じて、オーバーフローボックス２５９ｂに硬貨を搬送してよい。搬送部２３０ｂは、一時保留部２３５ｂがフルの場合には、オーバーフローボックス２５９ｂに硬貨を搬送してよい。また、搬送部２３０ｂは、識別部２４０ｂにおいて硬貨がリジェクト硬貨であると識別された場合にも、そのリジェクト硬貨をリジェクト部２３４ｂへ搬送してよい。
【００９９】
一方、バラ硬貨を出金する場合、収納部２５０ｂは、硬貨を一枚ずつ搬送部２３１ｂへ繰り出すように構成されている。複数の収納部２５０ｂは、各金種ごとに硬貨を収納しており、それぞれ円盤型の繰出部２５３ｂを備えている。繰出部２５３ｂは、硬貨を一枚ずつ繰り出し、シュート２５６ｂを介してドロア２５８ｂへ搬送する。硬貨出金部としてのドロア２５８ｂは、金種ごとに貨幣を収容するように構成されており、シュート２５６ｂも、金種ごとに貨幣を投出するように構成されている。これにより、硬貨出納装置２３は、硬貨を金種ごとにドロア２５８ｂへ出金することができる。尚、回収部２５５ｂへ回収される硬貨は、金種が混合された状態でよい。
【０１００】
このように、硬貨出納装置２３は、入金部２１０ｂに投入された硬貨を収納部２５０ｂへ収納し、逆に、収納部２５０ｂに収納された硬貨をドロア２５８ｂへ投出することができる。即ち、硬貨出納装置２３は、入金された硬貨を出金に再利用することができるように構成されている。
【０１０１】
尚、ＰＯＳレジスタは、精算処理時に授受される貨幣を手作業により収納するドロワを備えている場合がある。このような場合、収納ドロア２５８ｂは、チェックアウトカウンター１０のＰＯＳレジスタのドロアに硬貨を装填するときに用いられる。店員は、硬貨出納装置２１の収納ドロア２５８ｂに出金された硬貨をＰＯＳレジスタのドロアへ装填する。ＰＯＳレジスタのドロアから硬貨を回収する場合には、店員は、入金部２１０ｂへ硬貨を投入すればよい。ＰＯＳレジスタのドロアは、硬貨出納装置２１の収納ドロア２５８ｂと同じものであってもよく、異なるものであってもよい。
【０１０２】
ＰＯＳレジスタのドロアが硬貨出納装置２１の収納ドロア２５８ｂと同じものである場合、収納ドロア２５８ｂは、装填処理時に硬貨出納装置２１に装着され、精算処理時にＰＯＳレジスタへ装着される。この場合、店員は、硬貨を硬貨出納装置２１の収納ドロア２５８ｂからＰＯＳレジスタのドロアへ移し替える必要がない。また、硬貨出納装置２１は、硬貨を金種別に区分けして収納ドロア２５８ｂへ出金するので、店員は、硬貨出納装置２１に収納ドロア２５８ｂを装着後、直ちに精算処理を実行することができる。
【０１０３】
ＰＯＳレジスタのドロアが硬貨出納装置２１の収納ドロア２５８ｂと異なるものである場合、収納ドロア２５８ｂは、装填処理時に硬貨出納装置２１に装着される。店員は、収納ドロア２５８ｂに出金された貨幣を精算処理時にＰＯＳレジスタへ移し替える。この場合、硬貨出納装置２１の収納ドロア２５８ｂの構成は、ＰＯＳレジスタのドロアの構成と異なってよい。
【０１０４】
貨幣搬送カセット３０が入金部２１０ｂに装着されている場合、硬貨出納装置２３は、貨幣精算装置１１から回収した硬貨を貨幣搬送カセット３０から入金することができる。店員が貨幣搬送カセット３０を入金部２１０ｂに装着すると、貨幣搬送カセット３０は、繰出部２３３ｂへ硬貨を投入する。このとき、貨幣は、金種混合の状態で投入されてよい。その後の動作は、バラ硬貨が投入されたときと同様である。これにより、硬貨は、金種ごとに収納部２５０ｂへ収納される。
【０１０５】
貨幣搬送カセット３０が回収部２５５ｂに代わって装着されている場合、硬貨出納装置２３は、貨幣精算装置１１へ装填する硬貨を貨幣搬送カセット３０へ出金することができる。この場合、バラ硬貨を出金する場合と同様に、硬貨は、収納部２５０ｂからシュート２５６ｂを介して貨幣搬送カセット３０へ投出される。このとき、貨幣搬送カセット３０へ投出された硬貨は、金種混合の状態であってもよい。
【０１０６】
このように、硬貨出納装置２３は、貨幣搬送カセット３０からの硬貨を収納部２５０ｂへ収納し、逆に、収納部２５０ｂに収納された硬貨を貨幣搬送カセット３０へ投出することができる。
【０１０７】
図１０（Ａ）および図１０（Ｂ）は、紙幣を搬送するテープリール式の貨幣搬送カセット３０の構成例を示す外観図である。貨幣搬送カセット３０は、テープを繰り出す２つのテープリールＲｔと、２つのテープ間に紙幣を挟み込んだ状態で該テープを巻き取る巻取りリールＲｒと、巻取りリールＲｒを回転させるモータＭとを備えている。モータＭが巻取りリールＲｒを回転させると、巻取りリールＲｒに追従して２つのテープリールＲｔも回転するように構成されている。
【０１０８】
貨幣搬送カセット３０内に紙幣を収納するときには、モータＭが巻取りリールＲｒを回転させ、入出金口３６から入金される紙幣を一枚ずつ２つのテープ間に挟み込み、巻取りリールＲｒにその紙幣をテープとともに巻き取る。貨幣搬送カセット３０から紙幣を繰り出すときには、モータＭは巻取りリールＲｒを逆に回転させ、２つのテープ間に挟み込まれた紙幣を入出金口３６から繰り出し、テープはテープリールＲｔに巻き取られる。このように、貨幣搬送カセット３０は、紙幣を収納し、あるいは、紙幣を繰り出すことができる。
【０１０９】
モータＭは、貨幣搬送カセット３０が貨幣精算装置１１または貨幣出納装置２１に装着されたときに貨幣精算装置１１または貨幣出納装置２１から電力供給を受けることによって駆動される。
【０１１０】
図１１（Ａ）および図１１（Ｂ）は、硬貨を搬送する貨幣搬送カセット３０の構成例を示す外観図である。硬貨を搬送する貨幣搬送カセット３０は、上部開口部３１と、下部開口部３２とを備えている。
【０１１１】
例えば、図５（Ａ）に示す硬貨精算装置１３から硬貨を回収する場合、貨幣搬送カセット３０がカセット装着部１６０ｂに装着されたときに、硬貨精算装置１３に設けられたアクチュエータ（図示せず）が、貨幣搬送カセット３０の上部開口部３１を開ける。このとき、下部開口部３２は閉じた状態を維持している。これにより、硬貨精算装置１３は、回収される硬貨を、上部開口部３１を介して貨幣搬送カセット３０へ投入することができる。
【０１１２】
硬貨精算装置１３へ硬貨を装填する場合、貨幣搬送カセット３０がカセット装着部１６０ｂに装着されたときに、硬貨精算装置１３に設けられたアクチュエータは、貨幣搬送カセット３０の下部開口部３２を開ける。これにより、貨幣搬送カセット３０内の硬貨は、下部開口部３２から繰出部１３７ｂへ投出される。
【０１１３】
また、図９（Ａ）に示す硬貨出納装置２３から装填用の硬貨を貨幣搬送カセット３０へ投入する場合、貨幣搬送カセット３０がドロワ２５８ｂの代わりに装着される。このとき、硬貨出納装置２３に設けられたアクチュエータが、貨幣搬送カセット３０の上部開口部３１を開ける。下部開口部３２は閉じた状態を維持している。これにより、硬貨出納装置２３は、硬貨を上部開口部３１から投入することができる。
【０１１４】
硬貨出納装置１３から貨幣搬送カセット３０を用いて回収された硬貨を硬貨出納装置２３へ回収する場合、貨幣搬送カセット３０が入金部２１０ｂに装着される。このとき、硬貨出納装置２３に設けられたアクチュエータは、貨幣搬送カセット３０の下部開口部３２を開ける。上部開口部３１は閉じた状態を維持している。これにより、貨幣搬送カセット３０内の硬貨は、下部開口部３２から繰出部２３３ｂへ投出される。
【０１１５】
図１０（Ａ）〜図１１（Ｂ）に示す貨幣搬送カセット３０は、記憶部３５と、コネクタ３９とをさらに備えている。記憶部３５は、貨幣搬送カセット３０を特定するために各貨幣搬送カセット３０に割り当てられたカセットＩＤ情報（カセット識別情報）と、貨幣精算装置１１または貨幣出納装置２１（以下、貨幣精算装置１１、貨幣出納装置２１をまとめて貨幣処理装置１１，２１ともいう）がコネクタ３９に接続された回数を示す接続回数とを少なくとも記憶する。コネクタ３９は、貨幣搬送カセット３０が貨幣処理装置１１，２１に装着されるときに、貨幣処理装置１１，２１のコネクタ１９２（または２９２）に結合することによって貨幣搬送カセット３０と貨幣処理装置１１，２１との間を電気的に接続する。
【０１１６】
貨幣処理システム１内に複数の貨幣搬送カセット３０がある場合、各貨幣搬送カセット３０は、互いに異なるカセットＩＤ情報を有する。これにより、貨幣精算装置１１および貨幣出納装置２１が、複数の貨幣搬送カセット３０およびそれらの接続回数をそれぞれ特定することができる。カセットＩＤ情報は、例えば、複数の貨幣搬送カセット３０のそれぞれに対して設定された固有の番号でよい。また、記憶部３５は、必要に応じて貨幣搬送カセット３０に収容されている貨幣の金種や数量等の情報を格納してもよい。
【０１１７】
貨幣精算装置１１は、貨幣出納装置２１および貨幣管理装置２５と通信接続されていない場合も考えられる。このような場合、貨幣搬送カセット３０の記憶部３５は、自己のカセットＩＤ情報および接続回数だけでなく、装填または回収する貨幣の金種情報および数量情報、並びに、貨幣の装填対象または回収対象である貨幣精算装置１１のＩＤ情報を格納してもよい。これにより、貨幣精算装置１１は、自身が装填処理の対象であることを知ることができ、かつ、装填される貨幣の金種および数量を知ることができる。また、貨幣出納装置２１は、貨幣搬送カセット３０内の貨幣がいずれの貨幣精算装置１１から回収された貨幣かを知ることができ、かつ、回収された貨幣の金種および数量を知ることができる。従って、貨幣精算装置１１が貨幣出納装置２１および貨幣管理装置２５と通信接続されていなくとも、貨幣搬送カセット３０の記憶部３５が、装填または回収する貨幣の金種情報および数量情報、並びに、貨幣の装填対象または回収対象である貨幣精算装置１１のＩＤ情報を格納していれば、貨幣の装填処理および回収処理を実行することができる。
【０１１８】
記憶部３５に記憶された接続回数は、貨幣精算装置１１または貨幣出納装置２１に接続される度に、リード・ライト部１５７または２５７によって読み出され、制御部１９０，２９０において増加された後に、記憶部３５に書き戻される。これにより、貨幣搬送カセット３０のコネクタ３９の消耗の程度を管理することができ、コネクタ３９を適切な時期に交換することができる。
【０１１９】
図１２は、第１のコネクタとしてのコネクタ１９２（または２９２）および第２のコネクタとしてのコネクタ３９の構成を示す図である。
【０１２０】
コネクタ１９２（または２９２）およびコネクタ３９は、雌雄結合するように構成された一対のコネクタでよい。コネクタ１９２（または２９２）およびコネクタ３９が結合することによって、貨幣搬送カセット３０は貨幣処理装置１１、２１に電気的に接続される。これにより、貨幣処理装置１１、２１は、貨幣搬送カセット３０のモータＭを駆動させたり、記憶部３５から情報を読み取ることができる。
【０１２１】
コネクタ１９２（または２９２）およびコネクタ３９の形状は雌雄結合に限定されず、電気的な接続をもたらすものであれば、任意の形状でよい。
【０１２２】
（貨幣処理システム１の動作）
次に、本実施形態による貨幣処理システム１の具体的な動作を説明する。各貨幣精算装置１１の貨幣在高、貨幣出納装置２１の貨幣在高、各貨幣精算装置１１において入金または出金された貨幣の金額、貨幣出納装置２１と各貨幣精算装置１１との間で装填または回収された貨幣の金額は、すべて貨幣管理装置２５において管理されている。また、複数の貨幣精算装置１１は、互いに区別することができるようにそれぞれ固有のＩＤ情報を有し、複数の貨幣精算装置１１の各メモリ１７０がそのＩＤ情報を格納している。また、貨幣管理装置２５も各貨幣精算装置１１のＩＤ情報を把握している。以下の各処理において、貨幣精算装置１１と貨幣出納装置２１との間の通信は貨幣管理装置２５を介して行われる。しかし、貨幣精算装置１１と貨幣出納装置２１とは互いに直接通信してもよいことは言うまでもない。
【０１２３】
また、貨幣処理システム１は、紙幣および硬貨のいずれにも適用できる。例えば、紙幣を処理する場合、貨幣精算装置１１のうち紙幣精算装置１２を使用し、貨幣出納装置２１のうち紙幣出納装置２２を使用すればよい。また、貨幣搬送カセット３０は、紙幣用の貨幣搬送カセット（スタック式またはテープリール式のいずれでもよい）を使用すればよい。
【０１２４】
一方、硬貨を処理する場合、貨幣精算装置１１のうち硬貨精算装置１３を使用し、貨幣出納装置２１のうち硬貨出納装置２３を使用すればよい。また、貨幣搬送カセット３０は、図１１（Ａ）および図１１（Ｂ）に示す硬貨用の貨幣搬送カセットを使用すればよい。以下、便宜的に紙幣と硬貨とをまとめて「貨幣」と表現するが、「貨幣」は、「紙幣」または「硬貨」のいずれに置き換えてもよい。
【０１２５】
図１３は、本実施形態による貨幣処理システム１の動作を示すフロー図である。尚、貨幣搬送カセット３０は、貨幣精算装置１１または貨幣出納装置２１のいずれかに装着される。従って、以下の記載において「貨幣処理装置１１、２１」は、貨幣精算装置１１および貨幣出納装置２１のうち貨幣搬送カセット３０が装着された装置を意味する。
【０１２６】
貨幣処理装置１１、２１へ貨幣を装填し、あるいは、貨幣処理装置１１、２１内の貨幣を回収する場合、操作者は、貨幣搬送カセット３０を貨幣処理装置１１、２１に装着する（Ｓ１０）。
【０１２７】
貨幣処理装置１１、２１が貨幣搬送カセット３０の装着を検知すると、即ち、貨幣搬送カセット３０のコネクタ３９が貨幣処理装置１１、２１のコネクタ１９２、２９２に電気的に接続されると、貨幣処理装置１１、２１のリード・ライト部１５７、２５７は、貨幣搬送カセット３０の記憶部３５に記憶されたカセットＩＤ情報および接続回数を読み取る（Ｓ２０）。貨幣処理装置１１、２１の記憶部１７０、２７０は、読み取ったカセットＩＤ情報および接続回数を互いに関連付けて記憶する（Ｓ３０）。
【０１２８】
次に、制御部１９０、２９０は、貨幣処理装置１１、２１のメモリ１７０、２７０に記憶された貨幣処理装置１１、２１側の接続回数（以下、第１の接続回数ともいう）をカウントアップするとともに、貨幣搬送カセット３０側の接続回数（以下、第２の接続回数ともいう）をもカウントアップする（Ｓ４０）。
【０１２９】
次に、制御部１９０または２９０は、第１および第２の接続回数を所定値Ｘと比較する（Ｓ５０）。所定値Ｘは、例えば、コネクタ３９、１９２、２９２の電気的な接続を保証することができる接続回数の上限値（保証回数）、あるいは、保証回数よりも一定値だけ低い値である。所定値Ｘは、貨幣処理装置１１、２１の記憶部１７０または２７０に予め格納しておく。あるいは、貨幣管理装置２５、出納機１００、精算装置、ＰＯＳレジスタ等が所定値Ｘを予め格納してもよい。所定値Ｘは、制御部１９０または２９０あるいは貨幣管理装置２５、出納機１００、精算装置、ＰＯＳレジスタ等に第１または第２の接続回数の上限値として設定される。貨幣管理装置２５、出納機１００、精算装置、ＰＯＳレジスタ等が所定値Ｘを設定する場合、貨幣管理装置２５、出納機１００、精算装置、ＰＯＳレジスタ等は接続回数設定装置として機能する。
【０１３０】
第１または第２の接続回数のいずれかが所定値Ｘに達している場合（Ｓ５０のＹＥＳ）、貨幣処理装置１１、２１は、第１または第２の接続回数が所定値Ｘに達したことを操作者に報知する（Ｓ６０）。例えば、貨幣処理装置１１、２１は、報知部としての表示操作部１９５、２９５に第１または第２の接続回数が所定値Ｘに達したことを表示する。あるいは、貨幣処理装置１１、２１は、第１または第２の接続回数が所定値Ｘに達したこと報知する専用の報知ブザーまたは報知ランプを備えていてもよい。あるいは、貨幣管理装置２５が第１または第２の接続回数が所定値Ｘに達したこと報知してもよい。
【０１３１】
第１の接続回数が保証回数に達し、あるいは、第１の接続回数が保証回数に近づくと、貨幣搬送カセット３０のコネクタ３９が消耗していると考えられる。従って、第１の接続回数が所定値Ｘに達したこと報知することによって、操作者は、コネクタ３９の適切な交換時期を知ることができる。また、第２の接続回数が保証回数に達し、あるいは、第２の接続回数が保証回数に近づくと、コネクタ１９２または２９２が消耗していると考えられる。従って、第１の接続回数が所定値Ｘに達したこと報知することによって、操作者は、コネクタ１９２または２９２の適切な交換時期を知ることができる。
【０１３２】
制御部１９０または２９０は、カウントアップ後の第１および第２の接続回数をメモリ１７０または２７０へ格納する（Ｓ７０）。これにより、コネクタ１９２または２９２の接続回数が更新される。さらに、リード・ライト部１５７または２５７は、第２の接続回数を記憶部３５へ書き戻す（Ｓ８０）。これにより、コネクタ３９の接続回数が更新される。
【０１３３】
第１および第２の接続回数のいずれも所定値Ｘに達していない場合（Ｓ５０のＮＯ）、制御部１９０または２９０は、カウントアップ後の貨幣処理装置１１、２１側の接続回数および貨幣搬送カセット３０側の接続回数をメモリ１７０または２７０へ格納する（Ｓ７０）。これにより、コネクタ１９２または２９２の接続回数が更新される。さらに、リード・ライト部１５７または２５７は、メモリ１７０または２７０に格納された第２の接続回数を記憶部３５へ書き戻す（Ｓ８０）。これにより、コネクタ３９の接続回数が更新される。このとき、貨幣処理装置１１、２１は、第１または第２の接続回数について何も報知する必要はない。
【０１３４】
尚、図１３に示す接続回数のカウントフローは、貨幣の装填処理または回収処理と同時に実行されてもよく、それらの処理の前または後に実行されてもよい。
【０１３５】
図１４は、本実施形態によるコネクタの交換動作を示すフロー図である。本実施形態では、第１または第２の接続回数のいずれかが所定値Ｘに達している場合（Ｓ５０のＹＥＳ）であっても、貨幣の装填処理または回収処理は、そのまま継続して実行される。貨幣の装填処理または回収処理の完了後、操作者は、貨幣搬送カセット３０を貨幣処理装置１１、２１から脱離させる（Ｓ６２）。次に、操作者は、接続回数が所定値Ｘに達したコネクタ３９、１９２または２９２を交換する（Ｓ６４）。その後、貨幣搬送カセット３０が貨幣処理装置１１、２１に装着されたときに（Ｓ６５）、操作者は、貨幣処理装置１１、２１の操作表示部１９５、２９５または貨幣管理装置２５を操作して、交換されたコネクタ３９、１９２または２９２の接続回数を１にリセットする（Ｓ６６）。その後、図１３に示すフローを繰り返し実行することにより、貨幣処理装置１１、２１は、交換された新しいコネクタ３９、１９２または２９２の接続回数を１からカウントすることができる。
【０１３６】
尚、ステップＳ６５において、貨幣搬送カセット３０は、複数の貨幣処理装置１１、２１のうちいずれの貨幣処理装置に装着されてもよい。貨幣搬送カセット３０自体が記憶部３５に自己の接続回数を記憶しており、かつ、複数の貨幣処理装置１１、２１のそれぞれが所定値Ｘをメモリ１７０、２７０に記憶しているので、いずれの貨幣処理装置１１、２１も、貨幣搬送カセット３０の第２の接続回数が所定値Ｘに達していることを検知できるからである。
【０１３７】
本実施形態による貨幣処理システムは、貨幣処理装置１１、２１のコネクタ１９２、２９２の接続回数および貨幣搬送カセット３０のコネクタ３９の接続回数を管理する。そして、それらの接続回数のうちいずれかが保証回数に達した場合、あるいは、それらの接続回数のうちいずれかが保証回数に近づいた場合に、貨幣処理装置１１、２１または貨幣管理装置２５は、その接続回数が所定値Ｘに達したことを操作者に報知することができる。これにより、操作者は、コネクタ３９、１９２または２９２の適切な交換時期を知ることができる。操作者がこの報知に従ってコネクタを交換すれば、貨幣搬送カセット３０と貨幣処理装置１１、２１との間の接続不良を予防できる。
【０１３８】
尚且つ、複数の貨幣処理装置１１、２１および複数の貨幣搬送カセット３０は、それぞれ自己の接続回数を記憶している。従って、本実施形態による貨幣処理システム１は、各コネクタの接続回数がばらついたとしても、各コネクタの接続回数に応じてそのコネクタの交換を可能にする。つまり、本実施形態による貨幣処理システム１では、定期的な交換が不要であり、交換のサイクルを短期間に設定する必要もない。そして、本実施形態による貨幣処理システム１では、接続回数が少なく消耗していないコネクタは交換せず、接続回数が多く消耗しているコネクタを交換することが可能である。その結果、本実施形態による貨幣処理システム１は、効率的かつ経済的な運用を可能にする。
【０１３９】
（変形例１）
第１または第２の接続回数のいずれかが所定値Ｘに達している場合（Ｓ５０のＹＥＳ）、貨幣処理装置１１または２１は、第１または第２の接続回数が所定値Ｘに達したことを報知するだけでなく、貨幣搬送カセット３０を使用不可にしてもよい。この場合、貨幣処理装置１１または２１は、貨幣の装填処理または回収処理を行わない。つまり、変形例１では、貨幣処理装置１１、２１は、図１３に示す接続回数のカウント動作を実行するが、貨幣搬送カセット３０に対して入金および出金を行わない。
【０１４０】
例えば、貨幣処理装置１１または２１は、図１０（Ｂ）に示す貨幣搬送カセット３０のモータＭに対して電力を供給せず、巻取りリールＲｒおよびテープリールＲｔを駆動しない。あるいは、貨幣処理装置１１または２１は、図１１（Ａ）、図１１（Ｂ）に示す貨幣搬送カセット３０の上部開口部３１および下部開口部３２を開けない。
【０１４１】
第１または第２の接続回数が所定値Ｘに達している場合、貨幣搬送カセット３０のコネクタ３９または貨幣処理装置１１、２１のコネクタ１９２、２９２が摩耗して、貨幣搬送カセット３０と貨幣処理装置１１、２１との間において接続不良が生じるおそれがある。このような場合、正確な装填処理または回収処理を実行できないおそれがある。
【０１４２】
そこで、変形例１では、貨幣搬送カセット３０と貨幣処理装置１１、２１との間において接触不良が生じる可能性がある場合に、貨幣搬送カセット３０と貨幣処理装置１１、２１との間の貨幣のやりとりを予め禁止する。これによって、貨幣搬送カセット３０および貨幣処理装置１１、２１における誤動作を予め防止することができる。
【０１４３】
貨幣の装填処理または回収処理を行わなくとも、コネクタ３９と１９２または２９２とは接続されているため、貨幣処理装置１１、２１は、図１３に示す接続回数のカウント動作を実行する。そして、図１４のコネクタ交換フローを実行する。ただし、貨幣の装填処理または回収処理が中断されているので、ステップＳ６５において、貨幣搬送カセット３０は、ステップＳ１０において装着された貨幣処理装置１１、２１へ再度装着される必要がある。これにより、貨幣処理装置１１、２１は、貨幣の装填処理または回収処理を再開することができる。
【０１４４】
（変形例２）
本実施形態において、貨幣管理装置２５が第１および第２の接続回数を記憶し、かつ、管理してもよい。この場合、図１３のステップＳ５０において、第１または第２の接続回数が所定値Ｘに達した場合に（Ｓ５０のＹＥＳ）、貨幣処理装置１１、２１は、第１または第２の接続回数が所定値Ｘに達したことを操作者に報知する（Ｓ６０）とともに、第１または第２の接続回数が所定値に達したことを貨幣管理装置２５へ通知する。そして、貨幣管理装置２５も第１または第２の接続回数が所定値Ｘに達したことを操作者に報知してもよい。
【０１４５】
さらに、貨幣管理装置２５は、全ての第１の接続回数および全ての第２の接続回数を管理しているので、図１３に示すフローのうちステップＳ４０〜Ｓ６０を実行してもよい。この場合、図１５に示すように、貨幣処理装置１１、２１は、ステップＳ３０の後、自己の第１の接続回数、並びに、ステップＳ２０で読み取った貨幣搬送カセット３０のカセットＩＤ情報および第２の接続回数を貨幣管理装置２５へ送信する（Ｓ３２）。
【０１４６】
そして、貨幣管理装置２５は、ステップＳ４０〜Ｓ６０を実行後、カウントアップ後の第１および第２の接続回数を貨幣処理装置１１、２１へ送り返す（Ｓ６９）。尚、ステップＳ６０の報知は、ステップＳ６９の後に貨幣処理装置１１、２１においても実行されてよい。その後、ステップＳ７０、Ｓ８０を実行する。これにより、コネクタ３９およびコネクタ１９２または２９２の接続回数が更新される。
【０１４７】
変形例２によれば、貨幣管理装置２５が第１および第２の接続回数を記憶し、かつ、管理している。従って、貨幣処理装置１１、２１の制御部１９０、２９０における処理負担が少ない。さらに、変形例１、２は、それぞれ第１の実施形態と同様の効果を得ることができる。
【０１４８】
上記実施形態では、貨幣搬送カセット３０と貨幣処理装置１１または２１との間の接続検知は、コネクタ３９とコネクタ１９２または２９２との間の電気的な接続を検知することによって実行されている。しかし、貨幣搬送カセット３０および貨幣処理装置１１、２１は、例えば、光学センサ、磁気センサ等のセンサ（図示せず）をさらに備え、これらのセンサによって互いの接続検知を実行してもよい。
【符号の説明】
【０１４９】
１・・・現金管理システム、１０・・・チェックアウトカウンター、２０・・・バックオフィス、１１・・・現金精算装置、２１・・・現金出納装置、２５・・・現金管理装置、２６・・・ＰＯＳ管理装置、３０・・・現金搬送カセット、３５・・・記憶部、３９・・・コネクタ、１１０・・・入金部  １２０・・・出金部、１３０・・・搬送部、１４０・・・識別部、１５０・・・収納部、１５７・・・リード・ライト部、１６０・・・カセット装着部、１７０・・・メモリ、１８０・・・通信部、１９０・・・制御部、１９２・・・コネクタ、１９５・・・操作表示部、２１０・・・入金部、２２０・・・出金部、２９２・・・コネクタ、２９５・・・操作表示部、２３０・・・搬送部、２４０・・・識別部、２５０・・・収納部、２５５・・・回収部、２５７・・・リード・ライト部、２２２・・・機外リジェクト部、２２４・・・機内リジェクト部、２７０・・・メモリ、２８０・・・通信部、２９０・・・制御部
【図１】
2013073558.tif 000003
【図２】
2013073558.tif 000004
【図３】
2013073558.tif 000005
【図４】
2013073558.tif 000006
【図５】
2013073558.tif 000007
【図６】
2013073558.tif 000008
【図７】
2013073558.tif 000009
【図８】
2013073558.tif 000010
【図９】
2013073558.tif 000011
【図１０】
2013073558.tif 000012
【図１１】
2013073558.tif 000013
【図１２】
2013073558.tif 000014
【図１３】
2013073558.tif 000015
【図１４】
2013073558.tif 000016
【図１５】
2013073558.tif 000017